(57)【要約】【課題】容易且つ確実にフレキシブル回路基板を基台に取り付けることができるフレキシブル回路基板の取付構造及び取付方法を提供すること。【解決手段】基台１０上に載置したフレキシブル回路基板３０に設けた係合孔３３に、基台１０の係合突部２３を挿入すると共に、フレキシブル回路基板３０上に被せたカバー５０に、基台１０の係止爪１７を係止する。このとき、カバー５０によってフレキシブル回路基板３０の係合孔３３を塞ぐ。またこのとき、基台１０に設けた位置決め部２５をカバー５０に設けた位置決め部係止部５１に挿入することで、両者間の位置決めを行う。基台１０のフレキシブル回路基板３０を載置する面は屈曲（上面１１と前面１３）しており、この屈曲する面に沿うようにフレキシブル回路基板３０を屈曲して取り付ける。カバー５０のフレキシブル回路基板３０に当接する側の面も基台１０の屈曲する面に合わせて屈曲している。【選択図】図１
2016122738.tif 000002
【特許請求の範囲】
【請求項１】
基台上にフレキシブル回路基板を取り付けるフレキシブル回路基板の取付構造において、
前記基台上に載置する前記フレキシブル回路基板の表面を覆うカバーを具備し、
前記基台の表面には、係合突部と係止爪とを形成し、
前記基台上に載置したフレキシブル回路基板に設けた係合孔に、前記基台の係合突部を挿入すると共に、
前記フレキシブル回路基板上に被せたカバーに、前記基台の係止爪を係止し、且つこのカバーによって前記フレキシブル回路基板の係合孔を塞ぐことを特徴とするフレキシブル回路基板の取付構造。
【請求項２】
請求項１に記載のフレキシブル回路基板の取付構造であって、
前記基台には位置決め部を設け、この位置決め部を前記カバーに設けた位置決め部係止部に挿入することで、両者間の位置決めを行うことを特徴とするフレキシブル回路基板の取付構造。
【請求項３】
請求項１又は２に記載のフレキシブル回路基板の取付構造であって、
前記基台の前記フレキシブル回路基板を載置する面は屈曲又は湾曲しており、この屈曲又は湾曲する面に沿うように前記フレキシブル回路基板を屈曲又は湾曲して取り付け、
さらに前記カバーの前記フレキシブル回路基板に当接する側の面も前記基台の屈曲又は湾曲する面に合わせて屈曲又は湾曲していることを特徴とするフレキシブル回路基板の取付構造。
【請求項４】
基台上にフレキシブル回路基板を取り付けるフレキシブル回路基板の取付方法において、
表面に係合突部と係止爪とをそれぞれ形成した基台と、
前記基台の係合突部を挿入する係合孔を設けたフレキシブル回路基板と、
前記フレキシブル回路基板上に設置されるカバーと、を用意し、
前記基台上に前記フレキシブル回路基板を載置し、その際前記基台の係合突部を前記フレキシブル回路基板の係合孔に挿入することによって、フレキシブル回路基板の位置決めを行う工程と、
前記フレキシブル回路基板上に前記カバーを載置し、その際前記基台の係止爪をカバーにスナップイン係合することによって、基台の表面にフレキシブル回路基板を押し付けながら取り付けると同時に、前記カバーによって前記フレキシブル回路基板の係合孔を塞ぐ工程と、
を具備することを特徴とするフレキシブル回路基板の取付方法。
【発明の詳細な説明】
【技術分野】
【０００１】
本発明は、フレキシブル回路基板の基台への取付構造及び取付方法に関するものである。
【背景技術】
【０００２】
従来、フレキシブル回路基板を、ケースや取付台などの基台に固定する方法として、カシメ（熱カシメ等）による取付方法や、インサート成形による取付方法があった。
【０００３】
例えば、特許文献１には、フレキシブル基板（８０）を、基台となる下ケース（１０）上に載置し、その際、下ケース（１０）に設けた基板固定用突起（１９）を、フレキシブル基板（８０）に設けた固定用孔（８７）に挿入してその先端を熱カシメすることによって固定する方法が開示されている。
【０００４】
また、特許文献２には、成形品であるケース（３０）と端子固定ケース（８０）に、フレキシブル回路基板（１００）をインサート成形によって取り付ける方法が開示されている。
【先行技術文献】
【特許文献】
【０００５】
【特許文献１】特開平９−１８６００３号公報
【特許文献２】特開２００４−２０７４３９号公報
【発明の概要】
【発明が解決しようとする課題】
【０００６】
しかしながら、上記熱カシメによる取付方法は、熱カシメ用の設備が必要になってしまうばかりか、フレキシブル回路基板を基台上に載置して熱カシメを行う作業は煩雑であった。
【０００７】
一方、上記インサート成形による取付方法も、インサート成型用の金型及び成形機が必要になってしまうばかりか、金型内にフレキシブル回路基板をインサートした上で基台を成形していく工程が煩雑であった。
【０００８】
本発明は上述の点に鑑みてなされたものでありその目的は、容易且つ確実にフレキシブル回路基板を基台に取り付けることができるフレキシブル回路基板の取付構造及び取付方法を提供することにある。
【課題を解決するための手段】
【０００９】
本発明は、基台上にフレキシブル回路基板を取り付けるフレキシブル回路基板の取付構造において、前記基台上に載置する前記フレキシブル回路基板の表面を覆うカバーを具備し、前記基台の表面には、係合突部と係止爪とを形成し、前記基台上に載置したフレキシブル回路基板に設けた係合孔に、前記基台の係合突部を挿入すると共に、前記フレキシブル回路基板上に被せたカバーに、前記基台の係止爪を係止し、且つこのカバーによって前記フレキシブル回路基板の係合孔を塞ぐことを特徴としている。
本発明によれば、フレキシブル回路基板上にカバーを被せるだけで、フレキシブル回路基板を基台上に容易且つ確実に取り付けることができる。また、カバーは簡単な構造で構成でき、金型によって容易に製造することができる。また、カバーをその製品の外装部品として用いれば、実質的に部品点数が増加することもなくなる。
【００１０】
また本発明は、前記基台に位置決め部を設け、この位置決め部を前記カバーに設けた位置決め部係止部に挿入することで、両者間の位置決めを行うことを特徴としている。
これによって、基台とカバー間の正確な位置決めを容易に行うことができる。
なお、基台の位置決め部は、凸部又は凹部等で構成する。一方カバーの位置決め部係止部は、前記位置決め部に係合する貫通孔又は凹部又は凸部等で構成する。
【００１１】
また本発明は、前記基台の前記フレキシブル回路基板を載置する面が屈曲又は湾曲しており、この屈曲又は湾曲する面に沿うように前記フレキシブル回路基板を屈曲又は湾曲して取り付け、さらに前記カバーの前記フレキシブル回路基板に当接する側の面も前記基台の屈曲又は湾曲する面に合わせて屈曲又は湾曲していることを特徴としている。
基台のフレキシブル回路基板を載置する面が、屈曲又は湾曲していても、これに容易に対応することができる。
【００１２】
また本発明は、基台上にフレキシブル回路基板を取り付けるフレキシブル回路基板の取付方法において、表面に係合突部と係止爪とをそれぞれ形成した基台と、前記基台の係合突部を挿入する係合孔を設けたフレキシブル回路基板と、前記フレキシブル回路基板上に設置されるカバーと、を用意し、前記基台上に前記フレキシブル回路基板を載置し、その際前記基台の係合突部を前記フレキシブル回路基板の係合孔に挿入することによって、フレキシブル回路基板の位置決めを行う工程と、前記フレキシブル回路基板上に前記カバーを載置し、その際前記基台の係止爪をカバーにスナップイン係合することによって、基台の表面にフレキシブル回路基板を押し付けながら取り付けると同時に、前記カバーによって前記フレキシブル回路基板の係合孔を塞ぐ工程と、を具備することを特徴としている。
本発明によれば、基台上にフレキシブル回路基板を載置し、その上にカバーを載置するだけで、容易にフレキシブル回路基板を基台上に取り付けることができる。
【発明の効果】
【００１３】
本発明によれば、フレキシブル回路基板を基台に容易且つ確実に取り付けることができる。
【図面の簡単な説明】
【００１４】
【図１】基台１０へのフレキシブル回路基板３０の取付方法説明図である。
【図２】基台１０へのフレキシブル回路基板３０の取付方法説明図である。
【図３】基台１０へのフレキシブル回路基板３０の取付方法説明図である。
【図４】図１のＡ−Ａ線上概略断面図である。
【発明を実施するための形態】
【００１５】
以下、本発明の実施形態を図面を参照して詳細に説明する。図１，図２，図３は、本発明の一実施形態にかかる基台１０へのフレキシブル回路基板３０の取付方法説明図である。図１に示すように、本実施形態では、基台１０と、この基台１０上に取り付けられるフレキシブル回路基板３０と、このフレキシブル回路基板３０の表面を覆うカバー５０とを用意する。
【００１６】
基台１０は、合成樹脂の成形品であり、上面１１と、上面１１に対して略直角に屈曲する前面１３とを有し、これら上面１と前面１３とを、基板当接面（表面）１５としている。上面１１の所定位置には、複数（２つ）の係止爪１７が設けられ、また前面１３の所定位置には、複数（２つ）の係合突部２３が設けられ、さらに上面１１から前面１３に至る部分には、凸部からなる位置決め部２５が設けられている。
【００１７】
ここで係止爪１７は、上面１１の左右２箇所に設けられ、何れの係止爪１７も、上面１１から上方に向けて突出する弾性を有するアーム部１９と、アーム部１９の先端に設けられる爪部２１とを有している。アーム部１９は、平板状に形成されることで、広い方の平面に垂直な方向に向かってのみ揺動可能に形成されている。また爪部２１は、前記アーム部１９の揺動方向に向かって突出する形状に形成され、突出部分の上面は先端に向かうほどその高さを低くする傾斜面となっている。
【００１８】
係合突部２３は、前面１３の左右２箇所に設けられ、何れの係合突部２３も、小突起状であり、その高さ寸法はフレキシブル回路基板３０の厚みと同一、またはそれよりも低く形成されている。
【００１９】
位置決め部２５は、上面１１から前面１３に亘る位置に、これら上面１１と前面１３に沿うようにＬ字状に１箇所に設けられている。位置決め部２５の横断面は矩形状であり、その高さは、カバー５０の厚み（下記する位置決め部係止部５１の厚み）と略同一に形成されている。
【００２０】
フレキシブル回路基板３０は、可撓性を有する合成樹脂フィルム３１の表面に図示しない回路パターンを形成して構成されている。フレキシブル回路基板３０の幅は、前記一対の係止爪１７間の間隔と略同一に形成されている。また前記基台１０の一対の係合突部２３に対向する位置には、これら係合突部２３を挿入・係合する寸法形状の一対の係合孔３３が設けられ、また前記基台の位置決め部２５に対向する位置には、位置決め部２５を挿通する寸法形状の位置決め部挿通部３５が設けられている。係合孔３３の内径寸法は、係合突部２３の外径寸法と略同一である。一方、位置決め部挿通部３５の寸法は位置決め部２５を挿入できる寸法であれば、位置決め部２５より十分大きく形成しても良い。
【００２１】
カバー５０は、合成樹脂の成形品であり、平板を略Ｌ字状に屈曲させた形状に形成されている。カバー５０の少なくともフレキシブル回路基板３０側を向く面は、前記基台１０の上面１１と前面１３上に屈曲して載置される前記フレキシブル回路基板３０の表面全体に当接してこれを覆う形状に形成されている。即ち、カバー５０のフレキシブル回路基板３０に当接する側の面は、基台１０の屈曲する面に合わせて屈曲している。またカバー５０の前記基台１０の位置決め部２５に対向する位置には、位置決め部２５を挿入する貫通孔からなる位置決め部係止部５１が設けられている。位置決め部係止部５１の形状寸法と位置決め部２５の形状寸法は略同一である。なおカバー５０は、この取付構造を用いる製品の外装部品の一部として用いても良い。
【００２２】
そして、フレキシブル回路基板３０を基台１０に取り付けるには、まず図２に示すように、基台１０上にフレキシブル回路基板３０を載置する（基板取付工程）。このとき、フレキシブル回路基板３０は、基台１０の上面１１と前面１３の形状に沿うように屈曲し、基板当接面１５に密着して載置される。その際、基台１０の一対の係合突部２３をフレキシブル回路基板３０の一対の係合孔３３に挿入することによって、フレキシブル回路基板３０の位置決めを行う。またこのとき、基台１０の位置決め部２５は、フレキシブル回路基板３０の位置決め部挿通部３５に挿通され、位置決め部２５はフレキシブル回路基板３０から突出する。
【００２３】
次に図３，図４に示すように、フレキシブル回路基板３０の上にカバー５０を載置する（カバー取付工程）。このとき、カバー５０の位置決め部係止部５１に、基台１０の位置決め部２５を挿入係止し、同時に基台１０の係止爪１７をカバー５０の外周辺にスナップイン係合する。即ち、フレキシブル回路基板３０の上にカバー５０を載置する際に、カバー５０の位置決め部係止部５１に基台１０の位置決め部２５を挿入していくと、係止爪１７の爪部２１（その上面の傾斜面）にカバー５０の外周辺が当接してアーム部１９が撓んだ後、爪部２１がカバー５０の上面に到達した際にアーム部１９の弾性復帰力によって係止爪１７が元の形状に戻り、その爪部２１がカバー５０の上面に係止される。これによって、基台１０の表面にフレキシブル回路基板３０が押し付けられながら（挟持されながら）取り付けられると同時に、カバー５０によってフレキシブル回路基板３０の係合孔３３が塞がれ、従って係合孔３３から係合突部２３が外れることはなくなり、フレキシブル回路基板３０が基台１０からずれることはなくなる。そして、係止爪１７の係合によってカバー５０の上方向及び係止爪１７の後方向（爪部２１が突出する方向の反対方向）への移動が防止されると共に、位置決め部２５の位置決め部係止部５１への係止によってカバー５０の水平方向（上面１１に対する水平方向）への移動が防止される。
【００２４】
以上のように、フレキシブル回路基板３０上にカバー５０を被せるだけで、フレキシブル回路基板３０を基台１０上に容易且つ確実に取り付けることができる。また、カバー５０は簡単な構造で構成でき、金型によって容易に製造することができる。また、カバー５０をその製品の外装部品として用いれば、実質的に部品点数が増加することもなくなる。
【００２５】
また基台１０に設けた位置決め部２５をカバー５０に設けた位置決め部係止部５１に挿入することで、両者間の位置決めを行うので、基台１０とカバー５０間の正確な位置決めを容易に行うことができる。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では、基台１０の基板当接面１５を、上面１と前面１３からなる屈曲面としたが、これを湾曲面としても良く、また屈曲や湾曲の角度は種々の変更が可能であり、さらには、屈曲や湾曲しない平面としても良い。
【００２７】
また、カバー５０の位置決め部係止部５１は上記例では貫通孔としたが、カバー５０の外周辺まで至る切欠きで構成しても良く、またカバー５０のフレキシブル回路基板３０側を向く面に設ける凹部（貫通しない）で構成しても良い。さらに上記例では基台１０の位置決め部２５を凸部とし、これに係合するカバー５０の位置決め部係止部５１を貫通孔（又は切欠きや凹部）としたが、逆に、基台１０の位置決め部２５を凹部（又は切欠きや貫通孔）とし、これに係合するカバー５０の位置決め部係止部５１を凸部としてもよい。
【００２８】
また上記例では、基台１０の位置決め部２５とこれに係合するカバー５０の位置決め部係止部５１に、位置決めの機能の他に、カバー５０の水平方向（上面１１に対する水平方向）への移動を防止する固定機能も併せ持たせたが、カバー５０を基台１０に固定する手段を別途設けた場合は、上記固定機能は持たせなくても良い。
【符号の説明】
【００２９】
１０  基台
１１  上面（基板当接面）
１３  前面（基板当接面）
１５  基板当接面（表面）
１７  係止爪
２３  係合突部
２５  位置決め部
３０  フレキシブル回路基板
３３  係合孔
３５  位置決め部挿通部
５０  カバー
５１  位置決め部係止部
【図１】
2016122738.tif 000003
【図２】
2016122738.tif 000004
【図３】
2016122738.tif 000005
【図４】
2016122738.tif 000006